(57)【要約】【課題】部品点数を削減し、組立を容易にすることができる釣竿を提供することを課題とする。【解決手段】船の縁等に固定され、釣竿の外周面を挟持して保持するための釣竿保持具２００に取り付けて使用される釣竿において、竿体６と、該竿体６の外周面に設けられ、リールを装着可能な筒状のリールシート１とを備え、前記リールシート１は、リールを取り付けるリール装着部７と、該リール装着部７の竿元側に設けられた延在部３とを備え、前記延在部３を前記釣竿保持具２００が取り付けられる領域まで竿元側に延設する。【選択図】　図２
2004024162.tif 000002
【特許請求の範囲】
【請求項１】
船の縁等に固定され、釣竿の外周面を挟持して保持するための釣竿保持具（２００）に取り付けて使用される釣竿において、竿体（６）と、該竿体（６）の外周面に設けられ、リールを装着可能な筒状のリールシート（１）とを備え、前記リールシート（１）は、リールを取り付けるリール装着部（７）と、該リール装着部（７）の竿元側に設けられた延在部（３）とを備え、前記延在部（３）は、前記釣竿保持具（２００）が取り付けられる領域まで竿元側に延設されていることを特徴とする釣竿。
【請求項２】
前記延在部（３）は、前記竿体（６）よりも軟質の材料からなることを特徴とする請求項１に記載の釣竿。
【請求項３】
竿体（６）と、該竿体（６）の外周面に設けられ、リールを装着可能な筒状のリールシート（１）とを備えた釣竿において、前記リールシート（１）は、リールを取り付けるリール装着部（７）と、該リール装着部（７）の竿先側に位置し、手で把持するための延在部（３）とを備え、前記延在部（３）は前記竿体（６）よりも軟質の材料で形成されていると共に、前記リール装着部（７）に装着されたリールよりも竿先側を把持可能とすべく竿先側に向けて延設されていることを特徴とする釣竿。
【発明の詳細な説明】
【０００１】
【発明の属する技術分野】
魚釣に用いられる釣竿、特に、リールを装着するためのリールシートが設けられた釣竿に関する。
【０００２】
【従来の技術】
リールを取付けて使用する釣竿の竿体には種々の部品、例えば、リールシートや、フロントグリップ及びリアグリップ等が設けられている。
【０００３】
前記リールシートは、リールを装着するためのものであり、種々のリールを着脱可能に構成されている。従って、釣対象の魚の種類や状況に応じてリールを選択して装着することができるようになっている。また、フロントグリップ及びリアグリップは、それぞれ前記リールシートの竿先側及び竿元側に設けられており、釣人が該フロントグリップ及びリアグリップを把持することで、釣竿を保持するように構成されている。尚、フロントグリップ及びリアグリップは、手で把持し易いように適度な弾力性と耐滑性を有する軟質樹脂やコルクなどから形成されている。
【０００４】
また、釣竿には、釣竿保持具に装着して使用することができるように構成されているものもある。尚、釣竿保持具とは、所望の場所に釣竿を固定するための道具で、例えば釣船の縁などに設けられており、該釣竿保持具に釣竿を装着することにより、釣竿を釣船の縁に固定することができるように構成されている。
【０００５】
このような釣竿保持具に取り付けて使用する釣竿には、前記リールシート、フロントグリップやリアグリップに加えて、被ホールド体が設けられている。被ホールド体は、前記リールシートとリアグリップとの間で竿体に外嵌装着されており、前記釣竿保持具で釣竿を固定する際に、該被ホールド体を挟持するように構成されている。従って、被ホールド体を設けることにより竿体を補強して、釣竿を釣竿保持具で固定したときに、当該竿体が破損することを防止している。
【０００６】
上記の如く、釣竿には種々の部品が設けられており、これらの部品を設けることによって、釣を快適に楽しむことができるように構成されている。
【０００７】
【発明が解決しようとする課題】
しかしながら、従来の釣竿においては、リールシート、フロントグリップ及びリアグリップ、そして被ホールド体は、それぞれ別体で形成されている。そのため、釣竿を構成する部品点数が多くなり、釣竿の組立作業が煩雑になるという問題がある。
【０００８】
そこで、本発明はこのような問題に鑑みなされたもので、部品点数を削減し、組立を容易にすることができる釣竿を提供することを課題とする。
【０００９】
【課題を解決するための手段】
上記課題を解決するために、本発明に係る釣竿は、請求項１に記載の如く、船の縁等に固定され、釣竿の外周面を挟持して保持するための釣竿保持具２００に取り付けて使用される釣竿において、竿体６と、該竿体６の外周面に設けられ、リールを装着可能な筒状のリールシート１とを備え、前記リールシート１は、リールを取り付けるリール装着部７と、該リール装着部７の竿元側に設けられた延在部３とを備え、前記延在部３は、前記釣竿保持具２００が取り付けられる領域まで竿元側に延設されていることを特徴とする。
【００１０】
かかる請求項１記載の釣竿によれば、釣竿保持具２００が取り付けられる竿体６の領域を、リールシート１に設けられた延在部３によって補強することができるため、従来の被ホールド体が不要となり、従来の釣竿に比して部品点数を減少させることができる。
【００１１】
前記延在部３は、前記竿体６よりも軟質の材料で形成されていることが好ましい。
【００１２】
そうすれば、釣竿保持具２００で延在部３をしたときに、竿体６に加わる力が延在部３によって吸収されるため、竿体６の破損を防止することができる。
【００１３】
また、本発明にかかる釣竿は、請求項３に記載の如く、竿体６と、該竿体６の外周面に設けられ、リールを装着可能な筒状のリールシート１とを備えた釣竿において、前記リールシート１は、リールを取り付けるリール装着部７と、該リール装着部７の竿先側に位置し、手で把持するための延在部３とを備え、前記延在部３は前記竿体６よりも軟質の材料で形成されていると共に、前記リール装着部７に装着されたリールよりも竿先側を把持可能とすべく竿先側に向けて延設されていることを特徴とする。
【００１４】
かかる請求項３に記載の発明によれば、釣竿を手で持った時に、リールシート１に設けられた延在部３を把持することができる。従って、従来、竿体に設けられていたフロントグリップが不要となるため、前記請求項１に記載の発明と同様に、従来の釣竿に比して部品点数を削減することができる。
【００１５】
【発明の実施の形態】
以下、本発明の第一実施形態について図面を参照して説明する。本第一実施形態に係る釣竿は、図１及び図２の如く、筒状の竿体６と、竿体６に装着されたリールシート１と、リールシート１の竿先側及び竿元側でそれぞれ竿体６に装着されたフロントグリップ４及びリアグリップ５とを備えている。
【００１６】
前記竿体６は、硬質の合成樹脂やカーボン等からなり、先細りの筒状に形成されている。そして、竿先側が適度な撓りを有すると共に、竿元側、特に、前記リールシート１、フロントグリップ４及びリアグリップ５が装着される竿元側の領域は、竿先側に比して剛性を備えるように構成されている。そうすることで、釣人が該竿体６の竿元側を保持した際の保持性を確保することができる。また、該竿体６は、竿元側、詳しくは、前記リールシート１、フロントグリップ４及びリアグリップ５が装着される領域の外形状が、一様（先細りではなく、ストレートな形状）に形成さていることが好ましい。
【００１７】
前記フロントグリップ４及びリアグリップ５は、それぞれ筒状に形成され、前記竿体６に外嵌装着されており、釣人が釣竿を保持するときに、それぞれ手で把持されるように設けられている。かかるフロントグリップ４及びリアグリップ５は、手で把持した際に適度な弾力性と耐滑性を有するように発泡ウレタン、ＥＶＡ、エラストマーなどの軟質の合成樹脂やコルクなどで形成されている。
【００１８】
前記リールシート１は、筒状に形成され、前記フロントグリップ４とリアグリップ５との間で竿体６に外嵌装着され、リールを装着可能に構成されている。詳しくは、リールシート１は、リールを着脱自在に装着可能なリール装着部７と、該リール装着部７の竿元側に設けられ、後述する釣竿保持具２００が装着可能な延在部３とを備えている。
【００１９】
前記リール装着部７は、竿先側の外周面に雄ネジ部２１を有する筒状のシート本体２と、該シート本体２に一体的に設けられた固定フード２０と、シート本体２の一端部に軸方向に移動可能に外装された可動フード２３と、該可動フード２３の竿先側で回転可能に連結されて前記雄ネジ部２１に螺合するナット２４とを備えている。尚、シート本体２は、合成樹脂、木材や金属等で形成されるが、好ましくは繊維強化されたポリアミドなどの硬質の合成樹脂で形成される。
【００２０】
このようなリール装着部７では、ナット２４を回転させると、そのネジ送りによってナット２４と可動フード２３とは一体となって軸方向に移動し、これにより固定フード２０と可動フード２３の離間距離を調整することができる。即ち、リール脚部１００の一端を固定フード２０に係止させた状態で、ナット２４を回転させて可動フード２３を固定フード２０側に移動させる。そして、リール脚部１００の他端を該可動フード２３に係止させ、さらにナット２４を固定フード２０側に締め込めば、リール脚部１００が固定フード２０と可動フード２３に挟持された状態となり、リールを固定することができる。
【００２１】
前記延在部３は、略筒状に形成され、前記リール装着部７の少なくとも一部を被覆するように竿体６に外嵌装着されている。詳しくは、延在部３は、その一端部が、前記シート本体２の竿元側端部に形成された被覆面２５を被覆するように設けられ、且つ、他端部が前記リアグリップ５に向かって竿元側に延設されている。また、延在部３はその径方向断面において外径が略円形状に形成されている。そして、かかる延在部３は、例えばスチレンゴム、ウレタンゴム等の合成ゴム、天然ゴム、エラストマー、ＥＶＡ樹脂、コルクなど、前記竿体６よりも軟質材料を用いることができる。
【００２２】
前記被覆面２５は、図３に示す如く、シート本体２の竿元側の外周面に設けられ、前記固定フード２０と径方向で対向する領域に設けられる。そうすれば、リールシート１に取付けられたリールを操作する時に手で把持する領域に前記延在部３が被覆されるため、リール操作時のホールド性が向上する。さらに、延在部３を被覆面２５に被覆したとき、延在部３とシート本体２との外周面の境界に段差が生じないように、被覆面２５は凹設されていることが好ましい。
【００２３】
また、図３及び図４に示す如く、前記被覆面２５には、周方向に左右対称に突出部２２が突設されている。該突出部２２は、竿体６の径方向断面が一様で且つ、竿体６の軸方向に延びるように設けられている。一方、前記延在部３の裏面（内周面）には、該突出部２２に対応する形状をなした嵌合溝部３２が凹設されており、延在部３を被覆面２５に被覆したとき、前記突出部２２と嵌合するように構成されている。また、前記突出部２２及び嵌合溝部３２は、竿体６の軸線と平行に伸びるように形成されている。従って、シート本体２と延在部３の軸線を一致させて軸線に沿って互いの方向に相対的に移動させることにより、シート本体２の被覆面２５に延在部３を被覆することができる。
【００２４】
さらに、突出部２２は、係止凸部２６を備えている。該係止凸部２６は、突出部２２の先端部で周方向に向かって突出していると共に、突出部２２の軸方向の全長にわたって設けられている。一方、嵌合溝部３２には該係止凸部２６と対応する形状の係止溝３３が設けられている。即ち、係止凸部２６と係止溝３３とを嵌合させることにより、延在部３が被覆面２５から剥がれ難くすることができる。詳しくは、延在部３がシート本体２の被覆面２５に被覆した状態において、延在部３に剥離する方向に力が作用した場合、延在部３は被覆面２５から剥離しようとするが、係止凸部２６と係止溝３３とが嵌合しているため、延在部３の剥離を防止することができる。
【００２５】
また、リールシート１の内周面、即ち、シート本体２と延在部３の内周面には、軸方向で一端から他端まで伸びる複数の縦溝１０が設けられている。そうすれば、リールシート１を軽量化することができると共に、リールシート１を竿体６に外嵌装着する際の摩擦が少なくなり、容易に装着することができる。さらに、装着後は、接着剤が縦溝１０に入り込んで硬化するため、リールシート１と竿体６とを強固に固定することができる。
【００２６】
本実施形態にかかる釣竿は、上記の如く構成され、次に、当該釣竿を保持するための釣竿保持具について図２を参酌して説明する。釣竿保持具２００は、釣船の縁（図示省略）などに固定されており、図２に示す如く、釣竿を挟む挟持部２０１と、先端がＹ状に形成されたアーム部２０２とを備えている。そして、釣竿をアーム部２０２の先端に掛け、挟持部２０１で延在部３を上下方向から挟み込み、挟持部２０１で延在部３を締め付けることで釣竿が釣竿保持具２００に保持される。
【００２７】
上述のように、従来の釣竿では前記釣竿保持具２００を装着するための被ホールド体がリールシートの竿元側に設けられているが、本実施形態にかかる釣竿にあっては、釣竿保持具２００をリールシート１に設けられた延在部３に装着可能に構成することにより、被ホールド体が不要となる。その結果釣竿を構成する部品が減少するため、釣竿の組立作業が容易になる。
【００２８】
また、延在部３を竿体６よりも軟質な材料で形成することにより、竿体６の破損を防止することができる。即ち、釣竿保持具２００の挟持部２０１で延在部３をした際に延在部３が変形することにより、挟持部２０１の締め付け力が該延在部３で吸収されるため、竿体６に加わる力を緩和させることができ、その結果竿体６の破損を防止可能となる。また、延在部３を天然ゴム、合成ゴム、エラストマーやコルクで構成すれば、挟持部２０１との摩擦力が増加して釣竿の位置がずれることも防止できる。
【００２９】
さらに、釣竿を釣竿保持具２００に装着せずに、手で持って使用する際は、延在部３を手で把持することも可能となる。そして、延在部３とリール装着部７とが連続的に構成されているため、手で持った場合の違和感が少なくなるという利点を有する。
【００３０】
延在部３は、外周が略円形状に形成されているので、釣竿保持具２００の挟持部２０１の形状によらず、釣竿を釣竿保持具２００に固定することができる。即ち、本第一実施形態において、釣竿保持具２００の挟持部２０１は、延在部３を上下方向から挟み込む構造としたが、延在部３の外周を略円形状にすることにより、径方向のどの方向からでも挟み込むことができる。
【００３１】
尚、本発明に係る釣竿は、前記第一実施形態に限定されるものではなく、本発明の要旨を逸脱しない範囲にて種々の変更が可能である。例えば、本第一実施形態においては、延在部３の一端部のみがシート本体２を被覆するように設けられているが、延在部３全体がシート本体２を被覆するようにしてもよい。即ち、シート本体２の被覆面２５を竿元側に延設し、該延設した被覆面２５に延在部３を被覆するようにしてもよい。
【００３２】
突出部２２及び嵌合溝部３２は、シート本体２と延在部３との剥離を防止可能な形状であれば、前記第一実施形態の形状に限定されるものではない。また、突出部２２及び嵌合溝部３２は、必ずしも必要ではなく、シート本体２と延在部３とを接着剤などで固定したり、或いは２重成形などで形成してもよい。
【００３３】
上記第一実施形態においては、被覆面２５は、固定フード２０と径方向で対向する領域に設けられているが、固定フード２０の外周面にも設けてもよい。即ち、延在部３が固定フードの外周面を覆うように設けられていてもよい。例えば、リール装着部７にスピニングリールを装着した場合などは固定フード２０の外周面を手で把持することとなるが、当該固定フード２０の外周面に延在部３が設けられていることにより、ホールド性が向上する。
【００３４】
次に、図５は本発明の第二実施形態を示し、以下、本発明の第二実施形態について図面を参照して説明する。尚、図５に示す第一実施形態と同符号を付したものは、第一実施形態と同一の構成を示すため、その詳細な説明は省略する。
【００３５】
本発明の第二実施形態に係る釣竿は、先細りの筒状に形成された竿体６と、該竿体６に外嵌装着されたリールシート１と、リールシート１の竿元側で竿体６に外嵌装着されたリアグリップ５とを備えている。
【００３６】
リールシート１は、前記第一実施形態とほぼ同一の構成を有しているが、竿体６へ装着方向が逆になっている。即ち、リールシート１は、延在部３がリール装着部７よりも竿先側に配置されるように竿体６に装着される。そして、本第二実施形態において、延在部３は手で把持されるように構成されている。
【００３７】
前記延在部３は、従来のフロントグリップが設けられている領域、即ち、リール装着部７に装着されたリールよりも竿先側を把持した時、延在部３を把持することができるように竿先側に向けて延設されている。詳細には、前記延在部３は、固定フード２０から竿先側に向かって５〜２０ｃｍ、好ましくは、１０〜１５ｃｍの長さに設けられる。
【００３８】
上記の如く、リールシート１に設けられた延在部３を竿先側に延設することにより、従来の釣竿に設けられているフロントグリップが不要となるため、上記第二実施形態においても部品数を削減することができるため、釣竿の組立作業が容易となる。
【００３９】
また、一部の釣竿保持具では、リール装着部７に装着されたリールよりも竿先側を挟み込んで固定するタイプも存在する。このような釣竿保持具に本第二実施形態の釣竿を保持させる場合、延在部３を挟み込むようにすれば、延在部３によってリール装着部７の竿先側が補強されているため、竿体６の破損を防止できる。
【００４０】
尚、前記第二実施形態においても、本発明の要旨を逸脱しない範囲にて種々の変更が可能であることは勿論である。
【００４１】
例えば、第二実施形態の釣竿を図２に示した釣竿保持具２００に装着して使用する場合、リールシート１とリアグリップ５との間に、被ホールド体を別途設けてもよい。被ホールド体を別体に設けた場合であっても、リールシート１をフロントグリップとして使用することにより、従来の釣竿に比べて部品点数は削減されている。
【００４２】
また、シート本体２を釣竿保持具２００が取り付けられる領域まで竿元側に延設してもよい。そうすることにより、竿体６がシート本体２で補強されるため、被ホールド体を別体に設けるよりさらに部品点数が減少する。
【００４３】
【発明の効果】
以上のように、本発明に係る釣竿は、リールシートを竿元側又は竿先側に延設することにより、従来の釣竿に比して部品点数を削減することができるため、釣竿の組立作業が容易になる。
【図面の簡単な説明】
【図１】本発明の第一実施形態に係る釣竿を示す斜視図。
【図２】同釣竿のリールシート近傍を示す一部切り欠き側面図。
【図３】同釣竿のリールシートの部品の一部を示す側面図。
【図４】図２のＡ−Ａ線断面図。
【図５】本発明の第二実施形態に係る釣竿を示す斜視図。
【符号の説明】
１…リールシート、２…シート本体、３…延在部、４…フロントフリップ、５…リアグリップ、６…竿体、７…リール装着部、１０…縦溝、２０…固定フード、２１…雄ネジ部、２２…突出部、２３…可動フード、２４…ナット、２５…被覆面、２６…係止凸部、３２…嵌合溝部、３３…係止溝、１００…リール脚部、２００…釣竿保持具、２０１…挟持部、２０２…アーム部
【図１】
2004024162.tif 000003
【図２】
2004024162.tif 000004
【図３】
2004024162.tif 000005
【図４】
2004024162.tif 000006
【図５】
2004024162.tif 000007